(57)【要約】【課題】ＥＥＰＲＯＭを必要としない２４時間繰り返しタイマ制御の照明器具を提供する。【解決手段】ランプ１を特定の点灯モード（例えば深夜モード）とする時間帯を、商用交流電源２の通電時には商用交流電源２を検出して作動する２４時間タイマ（時分秒タイマ）で管理し、商用交流電源２の停電時には電池などによるバックアップ電源３により常時作動しているリアルタイムクロック４によるＲＴＣタイマ（年月日時分秒タイマ）で管理する照明器具である。そして、商用交流電源２の停電検知時にはＲＴＣタイマがリセットされるとともに、ＲＴＣタイマの「時分秒」データに２４時間タイマによるカウント値が書き込まれてからＲＴＣタイマがカウント開始され、商用交流電源２の復電検知時には２４時間タイマがリセットされるとともに、それまでのＲＴＣタイマによる「時分秒」データが２４時間タイマに書き込まれてから２４時間タイマがカウント開始されるものである。【選択図】  図２
2004221018.tif 000002
【特許請求の範囲】
【請求項１】
ランプを特定の点灯モードとする時間帯を、商用交流電源の通電時には商用交流電源を検出して作動する２４時間タイマで管理し、商用交流電源の停電時にはバックアップ電源により常時作動しているリアルタイムクロックによるＲＴＣタイマで管理する照明器具であって、商用交流電源の停電検知時にはＲＴＣタイマがリセットされるとともに、ＲＴＣタイマの「時分秒」データに２４時間タイマによるカウント値が書き込まれてからＲＴＣタイマがカウント開始され、商用交流電源の復電検知時には２４時間タイマがリセットされるとともに、それまでのＲＴＣタイマによる「時分秒」データが２４時間タイマに書き込まれてから２４時間タイマがカウント開始される照明器具。
【請求項２】
請求項１において、複数の点灯モードを備え、点灯モード毎に商用交流電源の停電検知時にＲＴＣタイマに書き込む「年」データを異ならせ、商用交流電源の復電検知時にはＲＴＣタイマの「年」データの範囲に基づいて停電検知時のモードを判定した上で、「現在の設定モードは停電検知時のモードと同じモードか？」を判定し、同じ場合は２４時間タイマにＲＴＣタイマによる「時分秒」データを書き込み、同じでない場合は２４時間タイマをリセットするものである照明器具。
【発明の詳細な説明】
【０００１】
【発明の属する技術分野】
本発明は、２４時間繰り返しタイマ制御される照明器具に関する。
【０００２】
【従来の技術】
トイレ灯・廊下灯などの照明器具には人体センサと明るさセンサを備えたものがあるが、深夜時間帯にトイレに行った場合にランプが定格電力で明るく点灯すると眩しく感じるため、いわゆる深夜モードと呼ばれる特定の点灯モードを備え、その深夜モードの時間帯に人を検出するとランプを減光した点灯状態としていた。そして、その深夜モード時間帯は、ユーザーが照明器具に設けられたスイッチを操作することによりその操作時点より開始されるようになっており、照明器具に備わったマイコンなどによる２４時間タイマはその開始時刻から例えば５時間あるいは８時間などの所定の時間帯を深夜モードの時間帯としていた。ところで、照明器具への商用交流電源配線経路中には壁スイッチなどが介在している場合が多いため、照明器具から離れれば自動的に消灯するにもかかわらずユーザーがうっかりと壁スイッチを開いてしまうことも往々にしてある。そうすると、毎日訪れる深夜モード時間帯を狂わせないためには、壁スイッチなどで停電した時点でのマイコンによるタイマカウントデータを記憶させておく必要があり、その記憶素子としてＥＥＰＲＯＭが使用され、復電した時には、停電中にバックアップ電源で作動していたリアルタイムクロックによるタイマカウントデータを前記ＥＥＰＲＯＭに記憶していたタイマカウントデータに加算してから、再びマイコンがタイマカウントを開始してシームレスに時間を計測していた。
【０００３】
【発明が解決しようとする課題】
しかし、ＥＥＰＲＯＭには書きこみ可能回数に制限があったり、コスト高にもなるという解決すべき課題がある。本発明はこのような解決すべき課題を鑑み、ＥＥＰＲＯＭを必要としない２４時間繰り返しタイマ制御の照明器具を提供することを目的とする。
【０００４】
【課題を解決するための手段】
本発明を要約すると、ランプを特定の点灯モードとする時間帯を、商用交流電源の通電時には商用交流電源を検出して作動する２４時間タイマで管理し、商用交流電源の停電時にはバックアップ電源により常時作動しているリアルタイムクロックによるＲＴＣタイマで管理する照明器具であって、商用交流電源の停電検知時にはＲＴＣタイマがリセットされるとともに、ＲＴＣタイマの「時分秒」データに２４時間タイマによるカウント値が書き込まれてからＲＴＣタイマがカウント開始され、商用交流電源の復電検知時には２４時間タイマがリセットされるとともに、それまでのＲＴＣタイマによる「時分秒」データが２４時間タイマに書き込まれてから２４時間タイマがカウント開始される照明器具である。また、複数の点灯モードを備えている場合、点灯モード毎に商用交流電源の停電検知時にＲＴＣタイマに書き込む「年」データを異ならせ、商用交流電源の復電検知時にはＲＴＣタイマの「年」データの範囲に基づいて停電検知時のモードを判定した上で、「現在の設定モードは停電検知時のモードと同じモードか？」を判定し、同じ場合は２４時間タイマにＲＴＣタイマによる「時分秒」データを書き込み、同じでない場合は２４時間タイマをリセットするものであるとよい。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
ランプ１を特定の点灯モード（例えば深夜モード）とする時間帯を、商用交流電源２の通電時には商用交流電源２を検出して作動する２４時間タイマ（時分秒タイマ）で管理し、商用交流電源２の停電時には電池などによるバックアップ電源３により常時作動しているリアルタイムクロック４によるＲＴＣタイマ（年月日時分秒タイマ）で管理する照明器具である。そして、商用交流電源２の停電検知時にはＲＴＣタイマがリセットされるとともに、ＲＴＣタイマの「時分秒」データに２４時間タイマによるカウント値が書き込まれてからＲＴＣタイマがカウント開始され、商用交流電源２の復電検知時には２４時間タイマがリセットされるとともに、それまでのＲＴＣタイマによる「時分秒」データが２４時間タイマに書き込まれてから２４時間タイマがカウント開始されるものである。
【０００７】
また、例えば「５時間に渡る深夜モード」、「８時間に渡る深夜モード」、「深夜モードを解除するモード」などの複数の点灯モードを備えている場合、点灯モード毎に商用交流電源２の停電検知時にＲＴＣタイマに書き込む「年」データを異ならせ、商用交流電源２の復電検知時にはＲＴＣタイマの「年」データの範囲に基づいて停電検知時のモードを判定した上で、「現在の設定モードは停電検知時のモードと同じモードか？」を判定し、同じ場合は２４時間タイマにＲＴＣタイマによる「時分秒」データを書き込み、同じでない場合は２４時間タイマをリセットするものである。
【０００８】
さらに詳述すれば、商用交流電源２からは屋内配線経路中に設けられた壁スイッチなどの電源スイッチ５を介して本照明器具（例えばトイレ灯、廊下灯）に電源接続される。本照明器具には商用交流電源２を低電圧直流化した直流電源６を備え、マイコン７やリアルタイムクロック４などに電源が供給される。また、人体センサ８や明るさセンサ９を備え、周囲が暗い場合に人が近づくとマイコン７は駆動回路１０を介してランプ１を点灯制御する。また、電源検出回路１１を備え、商用交流電源２の通電が検出されるとともに、商用交流電源２の周期を検出することによりマイコン７に前記２４時間タイマ機能を持たせている。さらにまた、モード切替スイッチ１２の切替位置により前述した複数のモードの切替状態信号をマイコン７に与えている。なお、ＲＴＣタイマはメーカーにてバックアップ電源３をリアルタイムクロック４に接続した時点でカウント開始され、ユーザーが電源投入した図２の時点では、仮にＡ年Ａ月Ａ日Ａ時Ａ分Ａ秒までカウントされているものとしている。また、マイコン７による２４時間タイマは電源投入時点でリセットされて０時間０分０秒からカウント開始される。
【０００９】
電源スイッチ５が投入されている限り、通常時は、周囲が暗いという条件と人が近づいたという条件の論理積によりランプ１が定格点灯（全光点灯）され、それ以外の場合にはランプ１は消灯している。深夜時間帯にトイレに行く場合のように目が覚めた直後にランプ１が定格点灯すると眩しいため、そのような時間帯には減光点灯（調光点灯）させたい。そのような場合は、切替スイッチ１２を所定位置に切り替えるとその時刻から深夜モードが開始される。なお、この切替位置の認識は電源スイッチ５が投入されてマイコン７が作動している場合にのみ可能である。そして、例えば深夜モード設定時刻がＢ年Ｂ月Ｂ日Ｂ時Ｂ分Ｂ秒であった場合には、その時刻から例えば５時間に渡って深夜モードが設定され、その間は、周囲が暗い限り人が近づくとランプ１は減光点灯するようになり、このモードは毎日繰り返される。
【００１０】
ところで、屋内配線経路中に壁スイッチ（例えばトイレの入り口にあるスイッチ）５などが介在している場合、本照明器具から離れれば自動的に消灯するにもかかわらず、ユーザーがうっかりと壁スイッチ５を切って（開いて）しまうことが往々にしてある。そうすると、マイコン７による２４時間タイマは直流電源６の残留電荷が実質的に消失した時点で機能しなくなるので、毎日訪れる深夜モード時間帯を狂わせないためには、壁スイッチ５で停電した時点でのマイコン７によるタイマカウントデータを記憶させておく必要がある。以下、その動作について詳述する。
【００１１】
壁スイッチ５を開いた場合のように商用交流電源２の停電検知時（図２ではＣ年Ｃ月Ｃ日Ｃ時Ｃ分Ｃ秒）には、ＲＴＣタイマがリセットされて０年１月１日０時０分０秒になるとともに、ＲＴＣタイマの「時分秒」データに停電までにカウントした２４時間タイマによるカウント値（ｂ時間ｂ分ｂ秒）と、モードのデータが書き込まれて（ここでは「２５年」という「年」データとして書き込まれるが詳細は後述する）から、ＲＴＣタイマがカウント開始される。すなわち、ＲＴＣタイマは２５年１月１日ｂ時ｂ分ｂ秒にセットされてからカウントが進む。なお、モードデータを書き込む必要がなければ、０年１月１日ｂ時ｂ分ｂ秒としてもよい。
【００１２】
次に、再び誰かがトイレに行った場合、ランプ１が点灯しないために壁スイッチ５を投入した場合のように商用交流電源２の復電検知時には、２４時間タイマはリセットされて０時間０分０秒からカウント開始される。そして、ＲＴＣタイマのデータより停電検知時のモード判定（後述のように、「年」データの範囲で判定）をして、現在の設定モードが停電検知時のモードと同じモードの場合は、それまでのＲＴＣタイマによる「時分秒」データ（Ｄ時Ｄ分Ｄ秒）がＤ時間Ｄ分Ｄ秒として２４時間タイマに書き込まれてから、２４時間タイマがカウント開始される。そうすると、停電中の２４時間タイマの非作動時間分が補償されてマイコン７による２４時間タイマが正確に保たれ、深夜モード時間帯の狂いが生じなくなる。
【００１３】
次に、スイッチ１２などにより、例えば「５時間に渡る深夜モード」、「８時間に渡る深夜モード」、「深夜モードを解除するモード」などの複数の点灯モードを切り替えられる場合、その点灯モード毎に商用交流電源２の停電検知時にＲＴＣタイマに書き込む「年」データを異ならせるとよい。表１は、このようなモード１、モード２、モード３の３種類のモードに関して停電検知時にＲＴＣタイマに書き込む「年」データを２５年、５０年、７５年と離散させており、長期間停電の場合を想定したＲＴＣタイマのカウント進行による復電検知時のモード判定を確実にしている。表２は、復電検知時にＲＴＣタイマの「年」データを基にモード判定する場合の「年」データの範囲を示し、２５〜４９年、５０〜７４年、７５〜９９年という「年」データ範囲に対応して各々、モード１、モード２、モード３の３種類のモードが対応判定されるというように、ＲＴＣタイマのカウントアップに実用上問題のない非常に長い年範囲を設定している。
【表１】
2004221018.tif 000003
【表２】
2004221018.tif 000004
【００１４】
さらに図２のフローにより説明すれば、「現在のモードは停電検知時のモードと同じモードか？」とあるのは、復電したマイコン７がスイッチ１２の切替位置を判断してスイッチ１２の位置が変更されたかどうかを判定処理している。すなわち、停電中にスイッチ１２が切り替わっていなかった場合は、前述のようにマイコン７の２４時間タイマにＲＴＣタイマのデータを書き込む。そうでない場合には、ユーザーはスイッチ１２を切り替えたのであるから、ここより２４時間タイマをリセットしてタイムカウントを開始して、そのモード時間帯が開始される。また、前記のように３つのモードの中には「深夜モードを解除するモード」もあり、ユーザーがそれを選択すれば、ランプ１が点灯するときは全光モードとなる。なお、リアルタイムクロックによるＲＴＣタイマのみを常時用いると長期間には誤差が集積しやすいため、本発明では、商用交流電源２の通電時には商用交流電源２の正確な周期を基にタイマ管理しているのである。
【００１５】
本実施形態によれば、壁スイッチなどが開かれて停電したとしても毎日繰り返される点灯モード時間帯に狂いを生じなくなり、これをリアルタイムクロックを有効に活用することにより実現しており、従来、停電中の記憶素子として使用されていたＥＥＰＲＯＭとその周辺回路部品が不要となるため、制御回路ブロックや照明器具の小型化とコストダウンに寄与するものとなる。
【図面の簡単な説明】
【図１】本発明の実施形態を示す回路ブロック図
【図２】同動作を示すフロー図
【符号の説明】
１  ランプ
２  商用交流電源
３  バックアップ電源
４  リアルタイムクロック
【図１】
2004221018.tif 000005
【図２】
2004221018.tif 000006